(57)【要約】【課題】動画像録画再生装置の薄型・軽量化と共に録画した動画像の外出先等での視聴を可能とする。【解決手段】テレビ受信部１で受信した動画像をパラメータ設定部３から設定された符号化パラメータに基づいて符号化部２で圧縮符号化して蓄積部４に装着したリムーバブルメディア４ａに符号化データとして蓄積するようにし、該符号化パラメータを、画像用と音声用とで独立に指定可能とし、更に、蓄積した該符号化データを復号再生する復号部５の性能や外部の携帯機器等に搭載の復号部の性能に応じてユーザが外部インタフェース部３ａを介して任意に指定可能とする。ユーザが指定した変更倍率又はユーザの指示の都度予め定めた順序に従って順次切り替えた変更倍率に応じた表示画像サイズで、復号した動画像を画面表示する。最初の動画像は、過去に適用した変更倍率又は予め定めた固定の変更倍率又は予め定めた大きさの表示画像サイズのいずれかで画面表示する。【選択図】        図１
2004165706.tif 000002
【特許請求の範囲】
【請求項１】
動画像を受信する受信部と、受信した前記動画像を符号化して符号化データを生成する符号化部と、前記符号化データを生成するための符号化パラメータを設定するパラメータ設定部と、該パラメータ設定部により設定された前記符号化パラメータに基づいて、前記符号化部により符号化された前記符号化データを蓄積する蓄積部と、該蓄積部に蓄積された前記符号化データを復号する復号部とからなる動画像符号化・復号装置であって、前記蓄積部が、前記符号化データを蓄積可能でかつ着脱可能な記録媒体を装着する構成からなり、前記パラメータ設定部が、複数個の前記符号化パラメータを備えている構成からなり、前記蓄積部に装着されて蓄積された前記記録媒体の前記符号化データを、当該動画像符号化・復号装置の前記復号部にて復号させて再生することができるように、及び／又は、前記蓄積部に装着されて前記符号化データが蓄積された前記記録媒体を前記蓄積部から離脱させて、当該動画像符号化・復号装置とは異なる外部の動画像復号装置に装着して、前記外部の動画像復号装置にて前記記録媒体に蓄積されている前記符号化データを復号させて再生することができるように、前記パラメータ設定部により前記符号化部に設定されるべき符号化パラメータを複数個の前記符号化パラメータの中から選択して指定することができることを特徴とする動画像符号化・復号装置。
【請求項２】
請求項１に記載の動画像符号化・復号装置であって、前記記録媒体に蓄積された前記符号化データを、当該動画像符号化・復号装置の前記復号部及び／又は前記外部の動画像復号装置において復号させて再生することができるように、当該符号化データを符号化するために前記パラメータ設定部により前記符号化部に設定された前記符号化パラメータに関する情報が前記記録媒体に当該符号化データと共に蓄積されていることを特徴とする動画像符号化・復号装置。
【請求項３】
請求項１又は２に記載の動画像符号化・復号装置であって、前記符号化部に設定すべき前記符号化パラメータを選択して指定するためのモード設定画面を画面表示することにより、ユーザが、任意に選択して指定することができることを特徴とする動画像符号化・復号装置。
【請求項４】
請求項１乃至３のいずれかに記載の動画像符号化・復号装置であって、前記記録媒体が、半導体メモリカード及び／又はリムーバブルハードディスクからなっていることを特徴とする動画像符号化・復号装置。
【請求項５】
請求項１乃至４のいずれかに記載の動画像符号化・復号装置であって、前記符号化部が、前記動画像に含まれている画像データを符号化する画像符号化部と、前記動画像に含まれている音声データを符号化する音声符号化部と、前記画像符号化部及び前記音声符号化部のそれぞれにて符号化された各符号化データを多重化して多重符号化データを生成する多重化部とを備え、前記パラメータ設定部が、前記符号化部に設定するための前記符号化パラメータとして、前記画像符号化部に設定される画像用符号化パラメータと前記音声符号化部に設定される音声用符号化パラメータとをそれぞれ独立に備えていることを特徴とする動画像符号化・復号装置。
【請求項６】
請求項５に記載の動画像符号化・復号装置であって、前記パラメータ設定部が、前記符号化部に設定すべき前記符号化パラメータを選択して指定する際に、前記画像用符号化パラメータと前記音声用符号化パラメータとをそれぞれ独立に選択指定すること、及び／又は、前記画像用符号化パラメータと前記音声用符号化パラメータとが予め組み合わされている複数の組み合わせの中からいずれかの前記画像用符号化パラメータと前記音声用符号化パラメータとの組み合わせを選択指定することができることを特徴とする動画像符号化・復号装置。
【請求項７】
請求項５又は６に記載の動画像符号化・復号装置であって、前記符号化パラメータのそれぞれを構成する前記画像用符号化パラメータとして、画像データに関する符号化方式、画像サイズ、フレームレート、ビットレートの少なくともいずれか一つを含み、前記符号化パラメータを構成する前記音声用符号化パラメータとして、音声データに関する符号化方式、チャンネル数、サンプリングレート、ビットレートの少なくともいずれか一つを含んでいることを特徴とする動画像符号化・復号装置。
【請求項８】
請求項１乃至７のいずれかに記載の動画像符号化・復号装置であって、前記復号部により復号された動画像の表示画像サイズを変更することができる画像サイズ変更部を備え、該画像サイズ変更部が、復号された動画像の前記表示画像サイズの変更を指示するサイズ変更信号に基づいて、画面表示する動画像の表示画像サイズを変更することを特徴とする動画像符号化・復号装置。
【請求項９】
請求項８に記載の動画像符号化・復号装置であって、前記サイズ変更信号をユーザが任意に指定することができることを特徴とする動画像符号化・復号装置。
【請求項１０】
請求項８又は９に記載の動画像符号化・復号装置であって、前記画像サイズ変更部において動画像の前記表示画像サイズを拡大又は縮小するための変更倍率を複数個備え、前記サイズ変更信号によりいずれかの前記変更倍率を選択して指定することができることを特徴とする動画像符号化・復号装置。
【請求項１１】
請求項８又は９に記載の動画像符号化・復号装置であって、前記画像サイズ変更部において動画像の前記表示画像サイズを拡大又は縮小するための変更倍率を複数個備え、前記サイズ変更信号が入力される都度、前記変更倍率が予め定められた順序に従って巡回的に変更されて指定されていくことを特徴とする動画像符号化・復号装置。
【請求項１２】
請求項８乃至１１のいずれかに記載の動画像符号化・復号装置であって、過去に画面表示した動画像の表示画像サイズの変更倍率を設定済み倍率として前記画像サイズ変更部に記憶し、前記復号部により復号された動画像を新たに画面表示する際に、前記設定済み倍率に基づいて、前記画像サイズ変更部により動画像の表示画像サイズを変更して新たに画面表示させることを特徴とする動画像符号化・復号装置。
【請求項１３】
請求項８乃至１１のいずれかに記載の動画像符号化・復号装置であって、動画像を最初に画面表示する際の表示画像サイズの変更倍率として、予め定められた所定の変更倍率である初期設定倍率を前記画像サイズ変更部に備え、前記復号部により復号された動画像を新たに画面表示する際に、過去に表示した動画像の表示画像サイズの変更倍率の如何に関わらず、前記初期設定倍率に基づいて、前記画像サイズ変更部により動画像の表示画像サイズを変更して新たに画面表示させることを特徴とする動画像符号化・復号装置。
【請求項１４】
請求項８乃至１１のいずれかに記載の動画像符号化・復号装置であって、動画像を最初に画面表示する際の表示画像サイズとして、予め定められた所定の表示画像サイズである初期設定画像サイズを前記画像サイズ変更部に備え、前記復号部により復号された動画像を新たに画面表示する際に、過去に表示した動画像の表示画像サイズの如何に関わらず、前記初期設定画像サイズに基づいて、前記画像サイズ変更部により動画像の表示画像サイズを変更して新たに画面表示させることを特徴とする動画像符号化・復号装置。
【請求項１５】
請求項８乃至１４のいずれかに記載の動画像符号化・復号装置であって、前記復号部により復号された動画像を画面表示する際に、前記画像サイズ変更部により変更された動画像の画面表示サイズの変更倍率及び／又は画面表示された動画像の該画像表示サイズを画面表示することを特徴とする動画像符号化・復号装置。
【請求項１６】
請求項１乃至７のいずれかに記載の動画像符号化・復号装置において、前記復号部により再生可能とする動画像の最大画像サイズ及び／又は最大フレームレートを含む再生能力を設定することができる再生能力設定部を備え、該再生能力設定部が、再生能力の設定を指示する再生能力指示信号に基づいて、動画像の再生能力を設定することを特徴とする動画像符号化・復号装置。
【請求項１７】
請求項１６に記載の動画像符号化・復号装置において、前記再生能力指示信号をユーザが任意に指定することができることを特徴とする動画像符号化・復号装置。
【請求項１８】
動画像を受信する受信部と、受信した前記動画像を符号化して符号化データを生成する符号化部と、前記符号化データを生成するための符号化パラメータを設定するパラメータ設定部と、該パラメータ設定部により設定された前記符号化パラメータに基づいて、前記符号化部により符号化された前記符号化データを蓄積する蓄積部と、該蓄積部に蓄積された前記符号化データを復号する復号部とからなる動画像符号化・復号装置であって、前記蓄積部が、前記符号化データを蓄積可能でかつ着脱可能なカード型リムーバブルメディアからなる記録媒体を装着する構成からなり、前記パラメータ設定部が、複数個の前記符号化パラメータを備えている構成からなり、前記カード型リムーバブルメディアからなる記録媒体に蓄積する前記符号化データを符号化する際に適用すべき符号化パラメータを複数個の前記符号化パラメータの中から選択することができることを特徴とする動画像符号化・復号装置。
【請求項１９】
請求項１８に記載の動画像符号化・復号装置であって、前記カード型リムーバブルメディアからなる記録媒体に蓄積された前記符号化データを復号させて再生することができるように、当該符号化データを符号化するために前記パラメータ設定部により前記符号化部に設定された前記符号化パラメータに関する情報が前記カード型リムーバブルメディアからなる記録媒体に当該符号化データと共に蓄積されていることを特徴とする動画像符号化・復号装置。
【請求項２０】
請求項１８又は１９に記載の動画像符号化・復号装置であって、前記符号化部に設定すべき前記符号化パラメータを選択して指定するためのモード設定画面を画面表示することにより、ユーザが、任意に選択して指定することができることを特徴とする動画像符号化・復号装置。
【請求項２１】
請求項１８乃至２０のいずれかに記載の動画像符号化・復号装置であって、前記カード型リムーバブルメディアが、コンパクトフラッシュ（登録商標）カード、スマートメディアカード、マルチメディアカード、メモリスティックカード、ＳＤカード、又は、ＰＣカードを含むいずれかの半導体メモリカードからなっていることを特徴とする動画像符号化・復号装置。
【請求項２２】
請求項１乃至２１のいずれかに記載の動画像符号化・復号装置であって、動画像を受信する前記受信部が、テレビ放送を受信して動画像を生成するテレビ受信部からなっていることを特徴とする動画像符号化・復号装置。
【請求項２３】
動画像を符号化して符号化データを生成する際に用いられる符号化パラメータを複数個備え、複数個の該符号化パラメータの中から選択されたいずれかの符号化パラメータにより符号化された符号化データを着脱可能な記録媒体に蓄積することができる動画像符号化・復号方法において、前記符号化パラメータを選択する際に、着脱可能な前記記録媒体を装着して、該記録媒体に蓄積された前記符号化データを復号再生させる動画像復号装置の復号方式に対応する符号化方式が含まれている符号化パラメータをユーザが選択して指定することができることを特徴とする動画像符号化・復号方法。
【請求項２４】
請求項２３に記載の動画像符号化・復号方法であって、復号された動画像を画面表示する際の表示画像サイズを変更するための変更倍率を複数個備え、ユーザが複数個の前記変更倍率の中から選択して指定した変更倍率に基づいて動画像の表示画像サイズを変更して画面表示するか、あるいは、ユーザがサイズ変更の指示をする都度、予め定められた順序に従って巡回的に複数個の前記変更倍率が切り替えられて動画像の表示画像サイズを変更して画面表示することができることを特徴とする動画像符号化・復号方法。
【請求項２５】
請求項２３又は２４に記載の動画像符号化・復号方法であって、動画像を最初に画面表示する際に、過去に画面表示した動画像の表示画像サイズの変更倍率、又は、予め定められた所定の変更倍率である初期設定倍率、又は、予め定められた所定の表示画像サイズである初期設定画像サイズのいずれかに基づいて、動画像の表示画像サイズを変更して新たに画面表示させることを特徴とする動画像符号化・復号方法。
【発明の詳細な説明】
【０００１】
【発明の属する技術分野】
本発明は、動画像を符号化・復号する動画像符号化・復号装置及び動画像符号化・復号方法に関する。
【０００２】
【従来の技術】
従来より、テレビ放送の受信部にビデオデッキやハードディスク装置などを組み合わせた形態からなる、録画機能一体型のテレビ受像装置が動画像符号化・復号装置として開発されている。
図１３に、従来の技術における録画機能一体型のテレビ受像装置のブロック構成図を示している。図１３において、テレビ受像装置４０は、テレビ放送を受信して動画像を生成するテレビ受信部４１、テレビ受信部４１にて生成された動画像を録画および再生する録画・再生部４２、及び、生成された動画像を表示する出力部４３を備えている。ここで、録画・再生部４２は、ビデオデッキやハードディスク装置などを備え、テレビ受信部４１から入力されてきた動画像を録画・再生することができる。
【０００３】
かかるテレビ受像装置４０の基本的な動作は、以下のようになる。
（１）録画・再生部４２による録画を行なわずに、通常のテレビ放送の視聴のみを行なう場合には、テレビ受信部４１にて生成された動画像信号は出力部４３に入力されて画面表示される。
（２）通常のテレビ放送の視聴を行ないつつ、かつ、テレビ放送の録画を行なう場合、テレビ受信部４１にて生成された動画像信号は出力部４３に入力されて画面表示されると共に、録画・再生部４２に入力されて録画される。
（３）通常のテレビ放送の視聴を行なわずに、録画された動画像を視聴する場合には、録画・再生部４２にて再生された動画像が出力部４３に入力されて画面表示される。
（４）通常のテレビ放送の視聴を行なわずに、録画のみを行なう場合には、テレビ受信部４１にて生成された動画像信号は、録画・再生部４２に入力されて録画される。
【０００４】
また、ビデオデッキやハードディスク装置などを備えた録画・再生部４２が扱うデータ量を少なくし、データ蓄積量を低減させると共に、より簡易な構成により小型化を図っている他の従来技術としては、例えば、図１４に示すように、デジタル化した動画像のＡＣＴ圧縮・伸長処理を行なうチップ即ちＡＣＴチップ４５ａと該ＡＣＴチップ４５ａからの圧縮画像を記憶するメモリ４５ｂとを備えたシステムボード４５をテレビ受像装置内に装着するビデオレコーダ技術が開示されている（例えば、特許文献１を参照のこと）。
【０００５】
ここに、図１４には、従来の技術におけるビデオレコーダ技術を実現するシステムボードのブロック構成図を示している。かかるビデオレコーダ技術に適用されるデジタル動画像のＡＣＴ圧縮・伸長処理は、例えばＭＰＥＧ処理のごとく動画像の符号化・復号に膨大なデータ量と計算量とを用いる代わりに、ハフマン符号化によるエントロピー演算を用いて圧縮化・復号を行なうことにより、データ蓄積量を低減すると共に簡易な構成とすることを可能にせんとしている。
【０００６】
【特許文献１】
特開２００２−５１３０８号公報（第３頁、図１）
【０００７】
【発明が解決しようとする課題】
近年のテレビ受像装置においては、生活空間の有効利用を図るために、ユーザの好みの場所で視聴できるよう持ち運びを簡単にするために、あるいは、個人向けの視聴等のために、など種々の目的を達成すべく、テレビ放送の動画像を表示する出力部として、ＣＲＴ（Ｃａｔｈｏｄｅ  Ｒａｙ  Ｔｕｂｅ）装置などを用いることに代わって、液晶表示装置などの薄型ディスプレイを用いることにより、テレビ受像装置の薄型化・軽量化及び録画動画像の携帯性を図ることが重要な課題となってきている。
しかしながら、図１３に示すごとき従来技術による録画機能一体型のテレビ受像装置においては、前述のビデオデッキやハードディスク装置などと組み合わせて実現されているため、たとえ、出力部のみを液晶表示装置としたとしても、録画機能一体型のテレビ受像装置の薄型化・軽量化には適していないという問題がある。
【０００８】
更には、例えば、図１４に示すようなビデオレコーダ技術を用いたテレビ受像装置により専用のＡＣＴ圧縮処理を施して録画した動画像であっても、また、図１３に示す録画機能一体型のテレビ受像装置により録画した動画像であっても、当該録画処理を行なった録画機能一体型テレビ受像装置以外の動画像再生装置例えば携帯情報端末ＰＤＡ（Ｐｅｒｓｏｎａｌ  Ｄｉｇｉｔａｌ  Ａｓｓｉｓｔａｎｔｓ）や携帯型ノートＰＣや携帯電話等の携帯機器を用いて、外出先等で視聴したいという要求があったとしても、従来の技術によるテレビ受像装置では、かかる視聴要求を容易には実現することができないという問題がある。
【０００９】
本発明は、かかる事情に鑑みてなされたものであり、単にテレビ受像装置のみに限らず、一般の動画像符号化・復号装置に適用可能とする技術として、動画像を録画する蓄積部としてビデオデッキやハードディスク装置などの大型の装置を用いる代わりに、デジタル符号化された動画像情報を着脱可能な記録媒体（リムーバブルメディア）に録画させる蓄積部を構成せんとするものであり、もって、本発明に係る動画像符号化・復号装置をテレビ受像装置に搭載することにより、従来の技術による録画機能一体型のテレビ受像装置などに比し、薄型化・軽量化された録画機能一体型のテレビ受像装置を実現することを可能にすると共に、録画された前記リムーバブルメディアを携帯することにより、録画された動画像を携帯情報端末ＰＤＡ、携帯用ノートＰＣ、携帯電話等の携帯機器によって、外出先等でも視聴することを可能とする動画像符号化・復号装置及び動画像符号化・復号方法を提供せんとするものである。
【００１０】
【課題を解決するための手段】
第１の技術手段は、動画像を受信する受信部と、受信した前記動画像を符号化して符号化データを生成する符号化部と、前記符号化データを生成するための符号化パラメータを設定するパラメータ設定部と、該パラメータ設定部により設定された前記符号化パラメータに基づいて、前記符号化部により符号化された前記符号化データを蓄積する蓄積部と、該蓄積部に蓄積された前記符号化データを復号する復号部とからなる動画像符号化・復号装置であって、前記蓄積部が、前記符号化データを蓄積可能でかつ着脱可能な記録媒体を装着する構成からなり、前記パラメータ設定部が、複数個の前記符号化パラメータを備えている構成からなり、前記蓄積部に装着されて蓄積された前記記録媒体の前記符号化データを、当該動画像符号化・復号装置の前記復号部にて復号させて再生することができるように、及び／又は、前記蓄積部に装着されて前記符号化データが蓄積された前記記録媒体を前記蓄積部から離脱させて、当該動画像符号化・復号装置とは異なる外部の動画像復号装置に装着して、前記外部の動画像復号装置にて前記記録媒体に蓄積されている前記符号化データを復号させて再生することができるように、前記パラメータ設定部により前記符号化部に設定されるべき符号化パラメータを複数個の前記符号化パラメータの中から選択して指定することができる動画像符号化・復号装置とすることを特徴とするものである。
【００１１】
第２の技術手段は、前記第１の技術手段に記載の動画像符号化・復号装置であって、前記記録媒体に蓄積された前記符号化データを、当該動画像符号化・復号装置の前記復号部及び／又は前記外部の動画像復号装置において復号させて再生することができるように、当該符号化データを符号化するために前記パラメータ設定部により前記符号化部に設定された前記符号化パラメータに関する情報が前記記録媒体に当該符号化データと共に蓄積されている動画像符号化・復号装置とすることを特徴とするものである。
【００１２】
第３の技術手段は、前記第１又は第２の技術手段に記載の動画像符号化・復号装置であって、前記符号化部に設定すべき前記符号化パラメータを選択して指定するためのモード設定画面を画面表示することにより、ユーザが、任意に選択して指定することができる動画像符号化・復号装置とすることを特徴とするものである。
【００１３】
第４の技術手段は、前記第１乃至第３の技術手段のいずれかに記載の動画像符号化・復号装置であって、前記記録媒体が、半導体メモリカード及び／又はリムーバブルハードディスクからなっている動画像符号化・復号装置とすることを特徴とするものである。
【００１４】
第５の技術手段は、前記第１乃至第４の技術手段のいずれかに記載の動画像符号化・復号装置であって、前記符号化部が、前記動画像に含まれている画像データを符号化する画像符号化部と、前記動画像に含まれている音声データを符号化する音声符号化部と、前記画像符号化部及び前記音声符号化部のそれぞれにて符号化された各符号化データを多重化して多重符号化データを生成する多重化部とを備え、前記パラメータ設定部が、前記符号化部に設定するための前記符号化パラメータとして、前記画像符号化部に設定される画像用符号化パラメータと前記音声符号化部に設定される音声用符号化パラメータとをそれぞれ独立に備えている動画像符号化・復号装置とすることを特徴とするものである。
【００１５】
第６の技術手段は、前記第５の技術手段に記載の動画像符号化・復号装置であって、前記パラメータ設定部が、前記符号化部に設定すべき前記符号化パラメータを選択して指定する際に、前記画像用符号化パラメータと前記音声用符号化パラメータとをそれぞれ独立に選択指定すること、及び／又は、前記画像用符号化パラメータと前記音声用符号化パラメータとが予め組み合わされている複数の組み合わせの中からいずれかの前記画像用符号化パラメータと前記音声用符号化パラメータとの組み合わせを選択指定することができる動画像符号化・復号装置とすることを特徴とするものである。
【００１６】
第７の技術手段は、前記第５又は第６の技術手段に記載の動画像符号化・復号装置であって、前記符号化パラメータのそれぞれを構成する前記画像用符号化パラメータとして、画像データに関する符号化方式、画像サイズ、フレームレート、ビットレートの少なくともいずれか一つを含み、前記符号化パラメータを構成する前記音声用符号化パラメータとして、音声データに関する符号化方式、チャンネル数、サンプリングレート、ビットレートの少なくともいずれか一つを含んでいる動画像符号化・復号装置とすることを特徴とするものである。
【００１７】
第８の技術手段は、前記第１乃至第７の技術手段のいずれかに記載の動画像符号化・復号装置であって、前記復号部により復号された動画像の表示画像サイズを変更することができる画像サイズ変更部を備え、該画像サイズ変更部が、復号された動画像の前記表示画像サイズの変更を指示するサイズ変更信号に基づいて、画面表示する動画像の表示画像サイズを変更する動画像符号化・復号装置とすることを特徴とするものである。
【００１８】
第９の技術手段は、前記第８の技術手段に記載の動画像符号化・復号装置であって、前記サイズ変更信号をユーザが任意に指定することができる動画像符号化・復号装置とすることを特徴とするものである。
【００１９】
第１０の技術手段は、前記第８又は第９の技術手段に記載の動画像符号化・復号装置であって、前記画像サイズ変更部において動画像の前記表示画像サイズを拡大又は縮小するための変更倍率を複数個備え、前記サイズ変更信号によりいずれかの前記変更倍率を選択して指定することができる動画像符号化・復号装置とすることを特徴とするものである。
【００２０】
第１１の技術手段は、前記第８又は第９の技術手段に記載の動画像符号化・復号装置であって、前記画像サイズ変更部において動画像の前記表示画像サイズを拡大又は縮小するための変更倍率を複数個備え、前記サイズ変更信号が入力される都度、前記変更倍率が予め定められた順序に従って巡回的に変更されて指定されていく動画像符号化・復号装置とすることを特徴とするものである。
【００２１】
第１２の技術手段は、前記第８乃至第１１の技術手段のいずれかに記載の動画像符号化・復号装置であって、過去に画面表示した動画像の表示画像サイズの変更倍率を設定済み倍率として前記画像サイズ変更部に記憶し、前記復号部により復号された動画像を新たに画面表示する際に、前記設定済み倍率に基づいて、前記画像サイズ変更部により動画像の表示画像サイズを変更して新たに画面表示させる動画像符号化・復号装置とすることを特徴とするものである。
【００２２】
第１３の技術手段は、前記第８乃至第１１の技術手段のいずれかに記載の動画像符号化・復号装置であって、動画像を最初に画面表示する際の表示画像サイズの変更倍率として、予め定められた所定の変更倍率である初期設定倍率を前記画像サイズ変更部に備え、前記復号部により復号された動画像を新たに画面表示する際に、過去に表示した動画像の表示画像サイズの変更倍率の如何に関わらず、前記初期設定倍率に基づいて、前記画像サイズ変更部により動画像の表示画像サイズを変更して新たに画面表示させる動画像符号化・復号装置とすることを特徴とするものである。
【００２３】
第１４の技術手段は、前記第８乃至第１１の技術手段のいずれかに記載の動画像符号化・復号装置であって、動画像を最初に画面表示する際の表示画像サイズとして、予め定められた所定の表示画像サイズである初期設定画像サイズを前記画像サイズ変更部に備え、前記復号部により復号された動画像を新たに画面表示する際に、過去に表示した動画像の表示画像サイズの如何に関わらず、前記初期設定画像サイズに基づいて、前記画像サイズ変更部により動画像の表示画像サイズを変更して新たに画面表示させる動画像符号化・復号装置とすることを特徴とするものである。
【００２４】
第１５の技術手段は、前記第８乃至第１４の技術手段のいずれかに記載の動画像符号化・復号装置であって、前記復号部により復号された動画像を画面表示する際に、前記画像サイズ変更部により変更された動画像の画面表示サイズの変更倍率及び／又は画面表示された動画像の該画像表示サイズを画面表示する動画像符号化・復号装置とすることを特徴とするものである。
【００２５】
第１６の技術手段は、前記第１乃至第７の技術手段のいずれかに記載の動画像符号化・復号装置であって、前記復号部により再生可能とする動画像の最大画像サイズ及び／又は最大フレームレートを含む再生能力を設定することができる再生能力設定部を備え、該再生能力設定部が、再生能力の設定を指示する再生能力指示信号に基づいて、動画像の再生能力を設定する動画像符号化・復号装置とすることを特徴とするものである。
【００２６】
第１７の技術手段は、前記第１６の技術手段に記載の動画像符号化・復号装置であって、前記再生能力指示信号をユーザが任意に指定することができる動画像符号化・復号装置とすることを特徴とするものである。
【００２７】
第１８の技術手段は、動画像を受信する受信部と、受信した前記動画像を符号化して符号化データを生成する符号化部と、前記符号化データを生成するための符号化パラメータを設定するパラメータ設定部と、該パラメータ設定部により設定された前記符号化パラメータに基づいて、前記符号化部により符号化された前記符号化データを蓄積する蓄積部と、該蓄積部に蓄積された前記符号化データを復号する復号部とからなる動画像符号化・復号装置であって、前記蓄積部が、前記符号化データを蓄積可能でかつ着脱可能なカード型リムーバブルメディアからなる記録媒体を装着する構成からなり、前記パラメータ設定部が、複数個の前記符号化パラメータを備えている構成からなり、前記カード型リムーバブルメディアからなる記録媒体に蓄積する前記符号化データを符号化する際に適用すべき符号化パラメータを複数個の前記符号化パラメータの中から選択することができる動画像符号化・復号装置とすることを特徴とするものである。
【００２８】
第１９の技術手段は、前記第１８の技術手段に記載の動画像符号化・復号装置であって、前記カード型リムーバブルメディアからなる記録媒体に蓄積された前記符号化データを復号させて再生することができるように、当該符号化データを符号化するために前記パラメータ設定部により前記符号化部に設定された前記符号化パラメータに関する情報が前記カード型リムーバブルメディアからなる記録媒体に当該符号化データと共に蓄積されている動画像符号化・復号装置とすることを特徴とするものである。
【００２９】
第２０の技術手段は、前記第１８又は第１９の技術手段に記載の動画像符号化・復号装置であって、前記符号化部に設定すべき前記符号化パラメータを選択して指定するためのモード設定画面を画面表示することにより、ユーザが、任意に選択して指定することができる動画像符号化・復号装置とすることを特徴とするものである。
【００３０】
第２１の技術手段は、前記第１８乃至第２０の技術手段のいずれかに記載の動画像符号化・復号装置であって、前記カード型リムーバブルメディアが、コンパクトフラッシュ（登録商標）カード、スマートメディアカード、マルチメディアカード、メモリスティックカード、ＳＤカード、又は、ＰＣカードを含むいずれかの半導体メモリカードからなっている動画像符号化・復号装置とすることを特徴とするものである。
【００３１】
第２２の技術手段は、前記第１乃至第２１の技術手段のいずれかに記載の動画像符号化・復号装置であって、動画像を受信する前記受信部が、テレビ放送を受信して動画像を生成するテレビ受信部からなっている動画像符号化・復号装置とすることを特徴とするものである。
【００３２】
第２３の技術手段は、動画像を符号化して符号化データを生成する際に用いられる符号化パラメータを複数個備え、複数個の該符号化パラメータの中から選択されたいずれかの符号化パラメータにより符号化された符号化データを着脱可能な記録媒体に蓄積することができる動画像符号化・復号方法において、前記符号化パラメータを選択する際に、着脱可能な前記記録媒体を装着して、該記録媒体に蓄積された前記符号化データを復号再生させる動画像復号装置の復号方式に対応する符号化方式が含まれている符号化パラメータをユーザが選択して指定することができる動画像符号化・復号方法とすることを特徴とするものである。
【００３３】
第２４の技術手段は、前記第２３の技術手段に記載の動画像符号化・復号方法であって、復号された動画像を画面表示する際の表示画像サイズを変更するための変更倍率を複数個備え、ユーザが複数個の前記変更倍率の中から選択して指定した変更倍率に基づいて動画像の表示画像サイズを変更して画面表示するか、あるいは、ユーザがサイズ変更の指示をする都度、予め定められた順序に従って巡回的に複数個の前記変更倍率が切り替えられて動画像の表示画像サイズを変更して画面表示することができる動画像符号化・復号方法とすることを特徴とするものである。
【００３４】
第２５の技術手段は、前記第２３又は第２４の技術手段に記載の動画像符号化・復号方法であって、動画像を最初に画面表示する際に、過去に画面表示した動画像の表示画像サイズの変更倍率、又は、予め定められた所定の変更倍率である初期設定倍率、又は、予め定められた所定の表示画像サイズである初期設定画像サイズのいずれかに基づいて、動画像の表示画像サイズを変更して新たに画面表示させる動画像符号化・復号方法とすることを特徴とするものである。
【００３５】
【発明の実施の形態】
本発明に係る動画像符号化・復号装置の実施形態の例を、以下図面を参照しながら説明する。まず、本発明に係る動画像符号化・復号装置の第１の実施形態として、録画・再生機能を備えたテレビ受像装置を例にとって説明する。ここで、本発明は、かくのごときテレビ受像装置に限るものではなく、アナログ動画像を受信して、デジタル化（符号化）処理を施し、符号化された動画像データを生成すると共に、符号化された動画像データを復号して元のアナログ動画像を再生させることができる如何なる動画像符号化・再生装置に対しても適用することができ、第１の実施形態は、本発明に係る動画像符号化・復号装置を搭載したテレビ受像装置を構成している実施例を示すものである。
【００３６】
図１は、本発明に係る動画像符号化・復号装置の第１の実施形態を説明するためのブロック構成図であり、テレビ受像装置に内蔵している本発明に係る動画像符号化・復号装置の部分のみを示している。図１において、動画像符号化・復号装置１０は、テレビ放送を受信して動画像を生成するテレビ受信部１、テレビ受信部１で生成された動画像をデジタル化して圧縮した形式で符号化する符号化部２、符号化部２における符号化処理に用いられる符号化パラメータを設定するパラメータ設定部３を備えている。なお、テレビ受信部１は、テレビ受像装置に内蔵されていない単独の動画像符号化・復号装置の場合にあっては、動画像を受信するための受信部を構成している回路部であるが、テレビ受像装置に内蔵する場合にあっては、チューナにより選局されたテレビ放送を受信して再生させるテレビ信号の受信部と共有させることができる。
【００３７】
更に、動画像符号化・復号装置１０は、符号化部２にて符号化された動画像データ（以降、単に「符号化データ」と称する）を蓄積する蓄積部４、蓄積部４に蓄積された符号化データを復号して動画像を再生する復号部５、テレビ受信部１で生成された動画像、あるいは、復号部５で再生された動画像を表示する出力部６を備えている。
なお、パラメータ設定部３に対しては、ユーザ（視聴者）が所望する符号化パラメータを録画モードとして選択指定することができる外部インタフェース部３ａが接続されており、また、蓄積部４は、前記符号化データを蓄積する記録媒体がリムーバブルメディア４ａからなっていて、着脱可能な構成とされている。該リムーバブルメディア４ａを蓄積部４に装着することにより、符号化部２にて符号化された符号化データをリムーバブルメディア４ａに蓄積し、蓄積された該符号化データを復号部５で復号することができるように構成されている。
【００３８】
以下、図１を用いて第１の実施形態に関する動画像符号化・復号装置１０を詳細に説明する。
なお、蓄積部４に符号化データを蓄積する録画動作を行なうことなく、通常のテレビ放送の視聴のみを行なう場合については、従来の技術の図１３に示した場合の動作と全く同様に、テレビ受信部１にて生成された動画像がそのまま出力部６に入力されてテレビ画面に画面表示される。
一方、録画動作を行なう場合としては、以下の２つのケースがある。
【００３９】
第１のケースは、通常のテレビ放送の視聴を行ないつつ、同時に録画を行なうケースである。かかるケースにおいては、テレビ受信部１にて生成された動画像は、出力部６に入力されて表示されると共に、符号化部２に入力される。入力された動画像を符号化部２にて符号化して生成された符号化データは蓄積部４に装着されているリムーバブルメディア４ａに蓄積される。かくのごとき録画動作は、例えばユーザ（視聴者）が、図１に示していないリモートコントローラの録画ボタンを押下することにより、録画動作が開始されて、テレビ受信部１にて生成された動画像が符号化部２にて符号化されて、蓄積部４のリムーバブルメディア４ａに蓄積されていく。
【００４０】
更には、図１には示していないが、録画予約の機能を備えており、録画予約した時刻に到達した際に録画動作を開始させることも可能である。ここで、ユーザ（視聴者）が、録画予約した番組のチャンネルとは別のチャンネルの番組を視聴している場合には、例えば、テレビ受信部１が２つのチャンネルを同時受信して生成可能な構成としておき、録画予約時刻に至った際にテレビ受信部１で生成する裏番組用のチャンネルを録画用のチャンネルとして割り当てることとするか、又は、録画予約時刻が近づいたことを出力部６のモニタ画面上にＯＳＤ（Ｏｎ  Ｓｃｒｅｅｎ  Ｄｉｓｐｌａｙ）表示して、ユーザ（視聴者）に視聴中のチャンネルを録画予約チャンネルに切り替えることを促すか、又は、自動的に、視聴中のチャンネルを録画予約チャンネルに切り替えて録画を開始するか、あるいは、ユーザ（視聴者）が視聴中のチャンネルを優先して、録画予約時刻となったことを単に出力部６のモニタ画面上にＯＳＤ表示するのみとして、実際には録画動作を実施しないこととするか、本発明においてはいずれであっても構わない。
【００４１】
第２のケースは、通常のテレビ放送の視聴を行なうことなく、録画のみを行なうケースである。かかるケースにおいては、テレビ受信部１にて生成された動画像は符号化部２に入力され、符号化部２にて生成された符号化データが、蓄積部４に装着されているリムーバブルメディア４ａに蓄積される。視聴することなく録画を行なうケースは、前述のごとく、録画予約の機能を備えており、例えば、視聴状態にある際に録画予約を行なった後、視聴を終了して、本動画像符号化・復号装置１０の電源をＯＦＦに設定した以降において、録画予約時刻に到達した場合などである。
【００４２】
前述の第１又は第２のいずれのケースであっても、動画像が符号化部２に入力されると、符号化部２はパラメータ設定部３により予め設定されていた録画モード（即ち符号化パラメータ）に従って入力されてきた動画像を符号化する。ここで、入力される動画像は、画像データ及び音声データから構成されている。一方、録画モードとは、パラメータ設定部３に予め備えられている複数の符号化パラメータの中からいずれかの符号化パラメータが予め設定登録されているか、あるいは、外部インタフェース部３ａを介してユーザ（視聴者）が選択して指定するためのモードであり、各録画モードにより指定されるそれぞれの符号化パラメータは、入力されてきた画像データ、音声データのそれぞれに対して符号化方式、ビットレート等を個別に設定するための符号化諸元のセットを示すことが可能なように予め定められている。
【００４３】
例えば、画像データに対する符号化方式としては、国際標準規格であるＭＰＥＧ−２、ＭＰＥＧ−４、Ｈ.２６３等の他に、デファクト・スタンダードとなりつつある例えばＷｉｎｄｏｗｓ  Ｍｅｄｉａ  Ｖｉｄｅｏ、Ｍｏｔｉｏｎ  ＪＰＥＧ等の様々な方式を利用することとしても良い。更には、画像データに対しては、蓄積したり画面表示する際の画像サイズ、動画像の符号化周期を示すフレームレート、符号化速度を示すビットレートなどの要素も符号化パラメータとして含まれている。
一方、音声データに対する符号化方式としては、国際標準規格であるＭＰＥＧ−１オーディオ、ＭＰＥＧ−４オーディオ、Ｇ.７２６等の他に、デファクト・スタンダードとなりつつある例えばＷｉｎｄｏｗｓ  Ｍｅｄｉａ  Ａｕｄｉｏ等の様々な方式を利用することとしても良い。更には、音声データに対しては、ステレオ／モノラルを識別するチャンネル数、音声データの符号化周期に示すサンプリングレート、符号化速度を示すビットレートなども符号化パラメータとして含まれている。
【００４４】
符号化部２においては、画像データに対する符号化データ、音声データに対する符号化データとを多重化して、多重符号化データとして出力している。多重化方式にはＭＰＥＧ−２システム、ＭＰＥＧ−４システム（ＭＰ４）などの国際標準規格の他、デファクト・スタンダードとなりつつある例えばＡＳＦ（Ａｄｖａｎｃｅｄ  Ｓｔｒｅａｍｉｎｇ  Ｆｏｒｍａｔ），ＱｕｉｃｋＴｉｍｅなどを用いても良い。
なお、パラメータ設定部３に対しては、前述のごとく、外部から例えばユーザ（視聴者）から符号化パラメータを選択するモード情報（録画モード）が入力されてくるが、かかるモード情報については後で詳しく述べる。
【００４５】
蓄積部４は、前述のごとく、リムーバブルメディア４ａのインタフェースを備えており、該インタフェースに接続した状態で装着されている着脱可能なリムーバブルメディア４ａに、符号化部２で符号化された符号化データを蓄積する。ここで、着脱可能なリムーバブルメディア４ａとしては、他の動画像符号化・復号装置や携帯情報端末ＰＤＡ・携帯用ノートＰＣなどの携帯端末にも装着することが可能なメディアであり、例えば、コンパクトフラッシュ（登録商標）カード、スマートメディアカード、マルチメディアカード（ＭＭＣ：Ｍｕｌｔｉ  Ｍｅｄｉａ  Ｃａｒｄ）、メモリスティックカード、ＳＤカード（Ｓｅｃｕｒｅ  Ｄｉｇｉｔａｌ  Ｍｅｍｏｒｙ  Ｃａｒｄ）、更には、ＰＣカードなど様々のカード型の半導体メモリカードやリムーバブルハードディスクなどを用いることができる。
【００４６】
以上のようにして、テレビ受信部１で生成された動画像が、パラメータ設定部３により予め選択して設定されている符号化パラメータに基づいて符号化部２にて符号化され、蓄積部４に装着されたリムーバブルメディア４ａに、符号化に適用された前記符号化パラメータに関する情報と共に蓄積される。なお、ここで、符号化パラメータに関する情報を全て蓄積する必要はなく、一部のみを蓄積、あるいは、全く蓄積しない場合もある。例えば、選択可能な符号化パラメータが画像サイズと画像のビットレートのみである場合、画像サイズのみを蓄積しても良い。符号化データの一覧表示（符号化データ中の画像データの代表フレーム一枚を縮小表示し、符号化データの内容を一覧するための表示方法）などを行なう場合に、該符号化データと共に画像サイズの情報を蓄積部４にしておけば、縮小表示の縮小率を決定するために、該画像サイズを用いることができる。しかし、一般に、画像のビットレートは、符号化時に目標値として用いられるにしても、復号の処理には不要な情報である。従って、選択可能な符号化パラメータが画像のビットレートと音声のビットレートのみの場合は、蓄積部４には符号化データのみを蓄積し、該符号化データと共に符号化パラメータを蓄積することは不要である。もちろん、先に説明した一覧表示などで、符号化データのビットレートをモニタに表示し、該ビットレートの情報をユーザに認知させたいような場合は、ビットレートの情報を別途蓄積してもかまわない。このように、符号化パラメータに関する情報は必要に応じて蓄積部４に蓄積される。
【００４７】
次に、録画された動画像を視聴する場合には、蓄積部４に装着されたリムーバブルメディア４ａから符号化データが読み出され、復号部５にて動画像が復号される。復号された動画像は出力部６に入力され、該動画像のうち画像データが出力部６のモニタ上に画面表示されると共に、音声データが出力部６の例えばスピーカに出力される。
【００４８】
ここで、蓄積部４のリムーバブルメディア４ａから読み出された符号化データには、符号化部２にて符号化した際に用いられた画像データと音声データとのそれぞれに対する符号化パラメータに関する情報が、前述のごとく、必要に応じて付属されており、復号部５にて、まず、画像データと音声データとに多重化されている符号化データが多重分離されて、画像データの符号化データと音声データの符号化データとに分離される。しかる後に、分離された画像データと音声データとの符号化データは、それぞれを符号化した際の符号化方式に関する情報に応じた復号方式に従って、それぞれ復号された後、復号画像データと復号音声データとして出力部６に送られる。
【００４９】
次に、図２は、図１に示す動画像符号化・復号装置１０によって着脱可能なリムーバブルメディア４ａに蓄積された符号化データ（即ち、録画データ）を再生する外部動画像復号装置の一例を示すブロック構成図である。蓄積部２４は、図１における蓄積部４と同様にリムーバブルメディア４ａに対するインタフェースを備えており、該インタフェースに接続した状態で着脱可能なリムーバブルメディア４ａを装着することができる。蓄積部２４は、装着されたリムーバブルメディア４ａに蓄積されている符号化データを読み出して復号部２５に送出する。
【００５０】
ここで、復号部２５は、図１に示す復号部５と同様の働きにより符号化データを復号することができるように構成されているものであり、リムーバブルメディア４ａに蓄積されていた符号化データを画像データと音声データとに多重分離した後、それぞれの符号化データに付属して、必要に応じて記録されている符号化パラメータに関する情報を用いてそれぞれ復号して、出力部２６にて動画像が再生される。なお、選択可能な符号化パラメータが限定されている場合、符号化パラメータに関する情報は、前述のごとく、全く記録されていない場合もある。かくのごとく、リムーバブルメディア４ａに符号化データを蓄積する際に用いられた動画像符号化・復号装置１０以外の外部動画像復号装置２０においても、当該リムーバブルメディア４ａに蓄積されていた符号化データを復号させて、出力部２６にて再生させることができ、例えば、携帯情報端末ＰＤＡや携帯用ノートＰＣなどを用いて、外出先においても、録画したテレビ放送（動画像）を視聴することが可能である。
【００５１】
次に、図１に示した動画像符号化・復号装置１０においてパラメータ設定部３により符号化部２に設定する録画モード（即ち符号化パラメータ）の選択について更に説明する。一般に、動画像の符号化データを復号する復号処理能力については、復号処理する動画像復号装置の機種によって異なってくる。例えば、図２に示すような外部動画像復号装置２０が、前述のごとく携帯情報端末ＰＤＡや携帯用ノートＰＣや携帯電話などの携帯機器であった場合には、符号化データの復号処理能力は、一般に、例えば、図１に示すような据え置き型の動画像符号化・復号装置１０の復号処理能力に比べて低くなる。従って、図１のパラメータ設定部３に対して外部インタフェース部３ａを介して選択した録画モードに基づいて設定されることになる符号化パラメータとしては、符号化データを再生する動画像復号装置の復号処理能力を考慮して設定する必要があり、かかる最適な符号化パラメータを指定することができる録画モードを選択して指定することが必要である。
【００５２】
即ち、パラメータ設定部３に備えられている符号化パラメータとしては、符号化データをリムーバブルメディア４ａに蓄積させる録画動作を実施した当該動画像符号化・復号装置１０において該符号化データから動画像を再生するために必要とする第１の符号化パラメータと、当該動画像符号化・復号装置１０とは異なる外部の動画像復号装置のうち、該符号化データの再生を要求する外部動画像復号装置２０において動画像を再生するために必要とする第２の符号化パラメータとを少なくとも備えていて、前記第１の符号化パラメータと前記第２の符号化パラメータとはそれぞれ動画像符号化・復号装置１０と外部動画像復号装置２０との復号処理能力に応じて設定されている。
【００５３】
図３は、図１に示す動画像符号化・復号装置１０の符号化部２の内部構成を示したブロック構成図である。符号化部２は、図３に示すように、画像データを符号化する画像符号化部２ａ、音声データを符号化する音声符号化部２ｂ、画像データ及び音声データの符号化データを多重化して多重符号化データを生成する多重化部２ｃを備えている。ここで、符号化部２に設定されている符号化パラメータを提供するパラメータ設定部３には、図８、図９にそれぞれ示す符号化パラメータテーブルのように、画像データと音声データとのそれぞれに、独立に複数個の符号化パラメータが記憶されており、外部インタフェース部３ａを介して指定される録画モード即ちモード選択情報に基づいて、符号化パラメータテーブルの中から符号化部２において適用すべき符号化パラメータが選択されて設定される。
【００５４】
ここで、図８は、画像データに関する符号化パラメータを登録している符号化パラメータテーブルの一例を示すものであり、図９は、音声データに関する符号化パラメータを登録している符号化パラメータテーブルの一例を示すものである。図８に示す画像データ用符号化パラメータテーブル３１は、符号化方式３１ｂ、画像サイズ３１ｃ、フレームレート３１ｄ、ビットレート３１ｅの各項目を、ユーザ（視聴者）が指定することができるモード情報３１ａに対応させて登録しているテーブルであり、該モード情報３１ａとしては、ｖ１，ｖ２，ｖ３の３つのモードがある場合を例示している。一方、図９に示す音声データ用符号化パラメータテーブル３２は、符号化方式３２ｂ、チャンネル数３２ｃ、サンプリングレート３２ｄ、ビットレート３２ｅの各項目を、ユーザ（視聴者）が指定することができるモード情報３２ａに対応させて登録しているテーブルであり、該モード情報３２ａとしては、ａ１，ａ２，ａ３の３つのモードがある場合を例示している。
【００５５】
例えば、モード情報として（ｖ１，ａ２）がパラメータ設定部３に外部インタフェース部３ａを介して入力されてくると、画像データの符号化パラメータを指定するモード情報３１ａとして図８に示す（ｖ１）の符号化パラメータ即ち符号化方式ＶＭ１、画像サイズ１６０画素×１２８ライン、フレームレート１０ｆｒａｍｅ／ｓ、ビットレート６４ｋｂｉｔ／ｓが符号化部２に設定され、一方、音声データの符号化パラメータを指定するモード情報３２ａとして図９に示す（ａ２）の符号化パラメータ即ち符号化方式ＡＭ１、チャンネル数２（即ち、ステレオ）、サンプリングレート４４ｋＨｚ、ビットレート６４ｋｂｉｔ／ｓが設定される。
【００５６】
ここで、設定すべき符号化パラメータを指定するモード情報の選択方法としては、図１０のようなモード選択画面を出力部６のモニタ上に画面表示し、リモートコントローラのボタン操作などによってユーザ（視聴者）に選択させる方法を用いても良い。図１０は、設定すべき符号化パラメータを指定するモード選択画面の一例を示す模式図である。図１０において、中黒丸はモード情報がユーザ（視聴者）により選択されていることを示しており、画像用の符号化パラメータを指定するモード情報としては図８に示す（ｖ１）が選択され、音声用の符号化パラメータを指定するモード情報としては図９に示す（ａ２）が選択されている状態を例示している。
【００５７】
また、図１０に示す例においては、録画モードとして、画像モード（即ち、画像用の符号化パラメータを指定するモード情報）と音声モード（即ち、音声用の符号化パラメータを指定するモード情報）とがそれぞれ独立して設定できる場合を示しているが、図１２に示すように、録画モードとして画像モードと音声モードとを組み合わせた全体の録画モードとして設定できるようにしても良い。ここに、図１２は、設定すべき符号化パラメータを指定するモード選択画面の他の一例を示す模式図である。
図１２に示す録画モードの選択画面例においては、例えば、録画モードとしては、図１１に示す符号化パラメータテーブル３３に設定登録されているモード情報３３ａを選択指定するものであり、図１２の例においては、録画モードとして図１１に示すモード情報（Ｍ２）が指定されている。
【００５８】
図１１は、画像データと音声モードとに関する符号化パラメータを登録している符号化パラメータテーブルの一例を示すものであり、図１１に示す符号化パラメータテーブル３３は、画像データの符号化パラメータと音声データの符号化パラメータとの組み合わせとして録画モードが設定登録されている。即ち、画像データの符号化パラメータを構成する符号化方式３３ｂ1、画像サイズ３３ｃ1、フレームレート３３ｄ1、ビットレート３３ｅ1と音声データの符号化パラメータを構成する符号化方式３３ｂ2、チャンネル数３３ｃ2、サンプリングレート３３ｄ2、ビットレート３３ｅ2のそれぞれの組み合わせが、ユーザが選択して指定することができるモード情報３３ａ（Ｍ１〜Ｍ３の３種類）に対応させて録画モードとして予め設定登録されている。
【００５９】
従って、図１２に示すモード選択画面として、モード情報［Ｍ２］を選択している場合、図１１に示すように、画像データの符号化パラメータとして符号化方式ＶＭ２、画像サイズ３２０画素×２４０ライン、フレームレート１５ｆｒａｍｅ／ｓ、ビットレート２５６ｋｂｉｔ／ｓが符号化部２に設定され、一方、音声データの符号化パラメータとして符号化方式ＡＭ２、チャンネル数２（即ち、ステレオ）、サンプリングレート４４ｋＨｚ、ビットレート６４ｋｂｉｔ／ｓが設定される。
なお、図１２に示す「再生モード［等倍］」の表示については、第２の実施形態において後述するため、ここでの説明は省略する。
【００６０】
ここで、据え置き型の動画像録画・再生装置のような比較的高解像度のモニタ及び高音質のスピーカにより、復号動画像を再生して視聴する目的を持って符号化して録画する場合には、符号化部２の符号化パラメータを指定するモード情報としては高画質かつ高音質の録画モード即ちモード情報を選択する。例えば、図８乃至図１０に示す符号化パラメータの選択方法の例においては、最も高画質・高音質のモード情報３１ａ，３２ａである（ｖ３，ａ３）の組み合わせを選択し、図１１及び１２に示す符号化パラメータの選択方法の例においては、最も高画質・高音質のモード情報３３ａである（Ｍ３）を選択する。
【００６１】
逆に、比較的処理能力や表示解像度の低いモニタ及び低音質のスピーカあるいはイヤホンなどを備えた携帯用などの外部動画像再生装置により、復号動画像を再生して視聴する目的を持って符号化して録画する場合には、符号化部２の符号化パラメータを指定するモード情報としては低画質かつ低音質の録画モード即ちモード情報を選択する。例えば、図８乃至図１０に示す符号化パラメータの選択方法の例においては、最も低画質・低音質のモード情報３１ａ，３２ａである（ｖ１，ａ１）の組み合わせを選択し、図１１及び１２に示す符号化パラメータの選択方法の例においては、最も低画質・低音質のモード情報３３ａである（Ｍ１）を選択する。
【００６２】
また、外部動画像再生装置の表示能力や再生処理能力が十分にあったとしても、例えば、画像符号化方式ＶＭ２（例えばＭＰＥＧ−２など）の復号回路が実装されていない場合は、図８乃至図１０に示す例にあっては、画像データの符号化パラメータを指定するモード情報３１ａとして低解像度ではあるが（ｖ１）を選択する以外にない。ここで、外部動画像再生装置に一部の符号化方式に対する復号回路が実装されない理由としては、例えば、当該外部動画像再生装置の回路規模を小さくしたり、符号化方式にかかるライセンス料を低減してコストを抑えようとする場合などが想定される。
【００６３】
なお、動画像符号化・復号装置１０に使用されるリムーバブルメディア４ａの記録容量が十分にある場合には、高ビットレートの録画モードを選択し、逆に、リムーバブルメディア４ａの記録容量が少ない場合には、低ビットレートの録画モードを選択するようにしても良い。
即ち、動画像を再生する動画像再生装置の性能や録画用動画像を蓄積するリムーバブルメディア４ａの記録容量に応じて、図８乃至図１０あるいは図１１及び図１２に示すごとき録画モード（即ち符号化パラメータの選択用モード情報）を用いた選択指定方法とすることにより、最適な符号化パラメータを選択して設定することも可能としている。
【００６４】
以上、第１の実施形態として詳細に説明したごとく、本発明に係る動画像符号化・復号装置１０にあっては、蓄積部としてビデオデッキやハードディスク装置などの大きな装置を用いる代わりに、デジタル圧縮された符号化データを蓄積する蓄積部４として着脱可能なリムーバブルメディア４ａを装着する構成としているので、例えば受信したテレビ放送を該リムーバブルメディア４ａに録画するように構成する場合、従来の技術による録画機能一体型のテレビ受像装置に比し、圧倒的に薄型化・軽量化された録画機能一体型のテレビ受像装置を実現することが可能となると共に、録画された前記リムーバブルメディア４ａを携帯することにより、録画された動画像を携帯情報端末ＰＤＡ、携帯用ノートＰＣ、携帯電話等の携帯機器によって、外出先等でも視聴することが可能である。
【００６５】
また、図８に示す画像データ用符号化パラメータテーブル３１、図９に示す音声データ用符号化パラメータテーブル３２、あるいは、図１１に示す符号化パラメータテーブル３３のように、画像データの符号化パラメータと音声データの符号化パラメータとをそれぞれ独立させた複数個の符号化パラメータを備えており、それぞれからいずれかの符号化パラメータを選択して設定することができるので、例えば据え置き型の動画像符号化・復号装置（あるいは、該動画像符号化・復号装置を搭載した録画機能一体型テレビ受像装置）に備えられた高解像度のモニタ、高音質のスピーカそれぞれの性能に応じた符号化パラメータを設定することが可能になると共に、携帯用の外部動画像復号装置（例えば、携帯情報端末ＰＤＡや携帯用ノートＰＣなど）に備えられている低解像度のモニタ、低音質のスピーカやイヤホンなどの性能にも応じた符号化パラメータを設定することも可能となる。また、携帯用の外部動画像復号装置において一部の復号方式のみが使用できるような場合であっても、携帯用の該外部動画像復号装置にて適用可能な一部の復号方式に対応した符号化方式を符号化パラメータとして設定することも可能であり、かくのごとき携帯用の外部動画像復号装置であっても、再生することが可能となる。
【００６６】
また、図８、図９、あるいは、図１１のごとく、画像データの符号化パラメータと音声データの符号化パラメータとを複数用意し、少なくとも録画を行なった例えば据え置き型の動画像符号化・復号装置自体（あるいは、該動画像符号化・復号装置を搭載した録画機能一体型テレビ受像装置）における再生に対応する符号化パラメータと例えば携帯向きの外部動画像復号装置における再生に対応する符号化パラメータとを備えることにより、ユーザ（視聴者）が、それぞれの装置において再生することが可能な符号化パラメータを録画モードとして簡単に選択して設定することが可能となる。
【００６７】
次に、本発明に係る動画像符号化・復号装置の第２の実施形態について説明する。図４は、本発明に係る動画像符号化・復号装置の第２の実施形態を説明するためのブロック構成図である。図４は、図１に示す動画像符号化・復号装置１０の復号部５′の内部構成に関する他の例を示しているものである。復号部５′の内部構成以外の回路部については、図１の動画像符号化・復号装置１０の各回路部と全く同様であり、図４に示している蓄積部４、リムーバブルメディア４ａ及び出力部６は図１と全く同じものである。
ここで、復号部５′は、リムーバブルメディア４ａが装着された蓄積部４から入力されてきた動画像の符号化データを復号して、動画像（即ち、復号画像データと復号音声データとを含む）を出力部６に出力するものであるが、図４に示す復号部５′は、復号画像データと復号音声データとを生成する復号部本体５ａのみならず、当該復号画像データの画像サイズを変更することができる画像サイズ変更部５ｂを備えている。
【００６８】
図４においては、蓄積部４からの符号化データは復号部本体５ａにて復号された後、復号された画像データ５ｂ1と当該画像データの画像サイズ５ｂ2とが画像サイズ変更部５ｂに入力される。
画像サイズ変更部５ｂは、入力されてきた復号された画像データ５ｂ1の画像サイズ５ｂ2を、ユーザ（視聴者）から指示された切替信号５ｂ3（即ち、表示画像サイズの変更を指示するサイズ変更信号）に応じて拡大・縮小処理を施し、拡大・縮小処理により変更された表示画像サイズの動画像を出力部６に対して出力する。即ち、切替信号５ｂ3は、画像サイズ変更部５ｂに対して表示画像サイズの変更を指示するサイズ変更信号である。
【００６９】
以下の説明に当たっては、画面表示すべき動画像の表示画像サイズそのものを指示して画像サイズ５ｂ2を変更させる切替信号５ｂ3（サイズ変更信号）を用いることとしても良いが、かかる表示画像サイズそのものを指示する場合ではなく、動画像の表示画像サイズを変更する変更倍率（即ち、復号部本体５ａからの復号画像データ５ｂ1の画像サイズ５ｂ2に対してモニタ画面表示される動画像の表示画像サイズが示す比率）を指示する場合について説明する。
ここで、動画像の表示画像サイズを拡大又は縮小するための変更倍率として、表示画像サイズを拡大又は縮小するための「拡大率」の用語を用いて説明することとするが、縮小処理を施す場合は、拡大率を「１」よりも小さい分数値に設定することにより全く同様に適用することが可能である。なお、拡大率としては等倍のまま画像を出力する処理も含まれているものとする。
【００７０】
例えば、画像サイズ変更部５ｂに対して切替信号５ｂ3によって拡大率を等倍と縦横２倍との間で切り替える指定がなされた場合、図５（Ａ）あるいは図５（Ｂ）の左側と右側とのそれぞれ２つの図に示すように、画像サイズ変更部５ｂから出力される動画像の表示画像サイズが切替信号５ｂ3によって指定された拡大率に応じて拡大・縮小されて、モニタから画面出力される動画像の表示画像サイズが切り替えられて表示される。ここで、拡大率として、直接指定することとしても良いが、予め定められた複数個の拡大率（例えば、１，２，４倍の複数個の整数値又は１，１／２，１／４の分数値）が備えられており、いずれかの拡大率を切替信号５ｂ3によって選択して指定することにより切り替えることとしても良い。拡大率を選択して切り替えるための切替信号５ｂ3は、例えばユーザがリモートコントローラのボタンを押下することによって生成される。
【００７１】
なお、図５は、画像サイズ変更部５ｂに対する切替信号５ｂ3に応じて拡大・縮小される表示画像の例を示す表示画面図であり、図５（Ａ），（Ｂ）は、左側が画像サイズ変更部５ｂに入力された画像データ５ｂ1の画像サイズ５ｂ2と等しいサイズの表示画像サイズで出力する等倍の場合を示し、右側が縦横２倍の指定がなされた場合の表示画像を示している。また、図５（Ａ），（Ｂ）においては、図５（Ａ）の右側に示す縦横２倍の表示画像サイズがモニタの表示サイズ（全画面サイズ）と等しくなっていることを示している。表示する表示画像サイズがモニタの表示サイズ（全画面サイズ）よりも小さい場合（即ち、図５（Ａ）の左側及び図５（Ｂ）左側・右側両方の場合）は、斜線を施した領域が示す余白部があり、かかる余白部には、背景画像として適当な静止画像が表示される。更に、例えば余白部などに、画面表示された動画像の表示画像サイズ、拡大率、動画像データの再生時間、録画日時、録画番組名などの関連情報を表示するようにしても良い。
【００７２】
また、図５（Ｃ）は、切替信号５ｂ3によって、等倍と全画面サイズへの拡大との２種類が切り替えられて表示されている例を示している。図５（Ｃ）の左側に示す等倍の表示画像サイズから図５（Ｃ）の右側に示す全画面サイズまでに拡大する指示となる切替信号５ｂ3が入力されてきた場合は、画像サイズ変更部５ｂにおいて、図５（Ｃ）の左側の等倍の表示画像サイズから全画面サイズへの拡大率が適切に算出されて設定される。即ち、等倍の画像サイズが（ｈ画素×ｖライン）、全画面サイズが（Ｘ画素×Ｙライン）とした場合、全画面サイズへの拡大率は、縦（Ｙ／ｖ）、横（Ｘ／ｈ）と算出される。ここで、等倍の表示画像サイズの画面アスペクト比（ｈ／ｖ）と全画面サイズの画面アスペクト比（Ｘ／Ｙ）とが異なる場合は、縦方向の拡大率（Ｙ／ｖ）と横方向の拡大率（Ｘ／ｈ）とが異なり、全画面サイズへの拡大画面が歪んで見づらくなる場合がある。
【００７３】
等倍の表示画像サイズの画面アスペクト比（ｈ／ｖ）と全画面サイズの画面アスペクト比（Ｘ／Ｙ）とが異なる場合には、図５（Ｄ）や図５（Ｅ）のように、縦・横いずれか一方のみについて算出された拡大率に応じてモニタの表示サイズまで拡大し、他方を算出された一方の前記拡大率を用いて拡大することにより、縦横とも同じ拡大率で拡大させて歪みを発生させないようにすることができる。即ち、図５（Ｄ）は横方向（水平方向）をモニタの表示サイズ一杯まで拡大している例を示し、図５（Ｅ）は縦方向（垂直方向）をモニタの表示サイズ一杯まで拡大している例を示している。
【００７４】
なお、ここで、縦横の拡大率を完全に同一にすれば、表示画像の歪み（アスペクト比の歪み）は全く発生しないが、人間の視覚系から見て歪みが目立たない程度であれば、縦横の拡大率を完全に同一に設定する必要はない。例えば、
（Ｙ／ｖ）＝（Ｘ／ｈ）＋ｄ
（但し、ｄは、許容誤差を示し、｛ｄ≪（Ｘ／ｈ）｝の関係とする。）
を満たすように、拡大率を決定することとしても良く、許容誤差ｄを認めることにより、拡大率として処理し易い値を用いることが可能となり、迅速かつ簡易に表示すべき動画像を出力することができる。
【００７５】
而して、画像サイズ変更部５ｂを備えることにより、符号化されて録画された画像データ５ｂ1の画像サイズ５ｂ2に応じて、切替信号５ｂ3によって指定することができる拡大率を用いて、画面表示される際の動画像の表示画像サイズをユーザ（視聴者）が指定することにより適宜変更することを可能としており、ユーザ（視聴者）の好みに応じた表示画像サイズの動画像の視聴が可能となる。例えば、符号化パラメータの指定によって、１６０画素×１２８ラインの画像サイズにより符号化されたコンテンツＡと３２０画素×２４０ラインの画像サイズにより符号化されたコンテンツＢとが蓄積部に蓄積されている場合、コンテンツＡは縦横２倍の拡大率で拡大してモニタ上に画面表示し、コンテンツＢは等倍のままモニタ上に画面表示することも可能であり、いずれのコンテンツであっても、モニタ上では同じ表示画像サイズで視聴することが可能となる。
【００７６】
図６は、画像サイズ変更部５ｂに対する切替信号５ｂ3に応じて拡大・縮小される表示画像の他の例を示す表示画面図であり、画像サイズ変更部５ｂへの切替信号５ｂ3によって、表示画像サイズが３段階に切り替えられる例を示している。図６の場合、切替信号５ｂ3は、前述の場合とは異なり、動画像の表示画像サイズの変更倍率そのものを指定するものではなく、単に、予め定められた順序に従って、順次、表示画像サイズの変更倍率を切り替えていく指示をするために用いられる。図６に示す例においては、切替信号５ｂ3が入力される都度、予め定められた順序として、例えば、拡大率が縦横２倍、縦横４倍、等倍（１倍）の表示画像サイズの順に、切り替えられている場合を示している。また、図６においては、縦横４倍の拡大時の表示画像サイズが全画面サイズに等しくなっている。
【００７７】
ここで、図６に示す例においては、拡大率を３段階に切り替えていく場合を示しているが、切替信号５ｂ3が入力される都度、切り替えられる拡大率の段階数としては、等倍における表示画像サイズに応じて適応的に設定されるようにしても良い。例えば、等倍の表示画像サイズが小さければ、拡大率の段階数が自動的に多くなり、逆に、等倍の表示画像サイズが大きければ、拡大率の段階数が自動的に小さくなるように設定される。
また、拡大率の変更は、例えばリモートコントローラからの切替信号５ｂ3が入力される都度巡回的に行なわれる。なお、例えば、拡大率を３段階に切り替える場合、図６に示すように、１倍（等倍）→２倍→４倍→１倍（等倍）→２倍→４倍→…を繰り返すようにしても良いし、１倍（等倍）→２倍→４倍→２倍→１倍（等倍）→２倍→４倍→…のように、常に隣の倍率に変化するような巡回方法として予め定めても良い。
【００７８】
而して、画像サイズ変更部５ｂに表示画像サイズの拡大率として複数個備えて、ユーザ（視聴者）が入力する切替信号５ｂ3に応じて、複数個の拡大率を予め定められた順序で巡回的に変更していくことを可能としており、ユーザ（視聴者）が簡単に所望の表示画像サイズを選択することができる。
【００７９】
また、表示動画像と共に現在の拡大率や表示画像サイズをモニタ上に画面表示することにより、ユーザ（視聴者）に現在の拡大率を通知するようにしても良い。ユーザ（視聴者）が画面表示中の表示画像サイズの拡大率を知ることができるので、他のコンテンツを新たに視聴する際の参考にすることができる。
【００８０】
更に、ユーザ（視聴者）が選択した拡大率を画像サイズ変更部５ｂに記憶・保存するようにすることも可能である。例えば、或るコンテンツＡを再生中に、切替信号５ｂ3としてユーザ（視聴者）が縦横２倍の拡大率を指定する選択をした場合、画像サイズ変更部５ｂは、選択された縦横２倍の拡大率をデフォルトの拡大率として（即ち、過去に画面表示した動画像の表示画像サイズに適用した拡大率（変更倍率）を設定済み拡大率（設定済み変更倍率）として）記憶しておく。而して、次に、別のコンテンツＢを新たに再生する際のデフォルトの拡大率（設定済み拡大率）としては、画像サイズ変更部５ｂに記憶されていた縦横２倍の拡大率が適用される。なお、別のコンテンツＢがモニタに画面表示される際には、表示画像サイズの拡大率をユーザ（視聴者）に通知するために、コンテンツＢの動画像を表示すると同時に、現在の拡大率を示す情報をモニタ上に画面表示するようにしても良い。
【００８１】
かくのごとく、例えば、前回コンテンツを画面表示した際に指定した表示画像サイズの拡大率をデフォルトの拡大率（即ち、設定済み拡大率（設定済み倍率））として記憶しておくことを可能とすることにより、新たなコンテンツを画面表示する際に、デフォルトの拡大率を最初に用いて自動的に変更した表示画像サイズにより画面表示するので、ユーザが好む拡大率を毎回指定する煩わしさを軽減することが可能となる。
【００８２】
更に、デフォルトの拡大率として固定した値を予め設定しておき、どのコンテンツを再生する場合であっても、過去に表示した動画像の表示画像サイズの変更倍率の如何に関わらず、最初に画面表示される動画像の表示画像サイズは、予め固定値として設定されたデフォルトの拡大率（即ち、予め定められた所定の拡大率（変更倍率）である初期設定拡大率（初期設定倍率））で表示するようにしても良い。
なお、図１２に示すモード選択画面における「再生モード［等倍］」とは、デフォルトの拡大率（初期設定拡大率（初期設定倍率））として固定した値を設定するための設定画面の例を示すものである。即ち、図１２の例においては、再生モードにおけるデフォルトの拡大率（初期設定拡大率（初期設定倍率））として［等倍］が選択されて設定されている例を示している。
【００８３】
かかる場合にあっては、前回コンテンツを画面表示した際に指定していた拡大率には関係無く、新たなコンテンツを画面表示する際には、予め設定されている固定した値の拡大率（初期設定拡大率（初期設定倍率））を用いて画面表示することにより、コンテンツの最初の表示画像サイズを固定の拡大率により画面表示し、録画した際のコンテンツの画像サイズに応じた画面表示が可能となる。
【００８４】
あるいは、最初に画面表示する際に適用される予め設定されているべき拡大率即ちデフォルトの拡大率を等倍の時の表示画像サイズに応じて適応的に変更するようにしても良い。例えば、図５（Ａ）の場合には、適度な余白部を有している左側（等倍）をデフォルトの拡大率とし、図５（Ｂ）の場合には、左側の等倍における表示画像サイズでは余白部が大き過ぎるため、適度な余白部を有している右側（縦横２倍）をデフォルトの拡大率として選定する。逆にいえば、最初に画面表示する際に適用される表示画像サイズを固定のサイズとするように、デフォルトの表示画像サイズ（即ち、初期設定画像サイズ）として設定するようにする。
即ち、動画像を最初に画面表示する際の表示画像サイズとして予め定められた所定の表示画像サイズである初期設定画像サイズ（デフォルトの表示画像サイズ）を画像サイズ変更部５ｂに備えており、動画像を新たに画面表示する際に、過去に表示した動画像の表示画像サイズの如何に関わらず、該初期設定画像サイズ（デフォルトの表示画像サイズ）に基づいて、動画像の表示画像サイズを変更して新たに画面表示させることが可能である。
【００８５】
かくのごとき初期設定画像サイズ（デフォルトの表示画像サイズ）を選定することにより、大きな画像を表示する場合であっても、逆に、小さな画像を表示する場合であっても、該初期設定画像サイズが適用された際の表示画像サイズは同等の大きさとすることが可能となる。
【００８６】
図７は、画像サイズ変更部５ｂに対する切替信号５ｂ3に応じて拡大・縮小される表示画像の更に異なる例を示す表示画面図であり、画像サイズ変更部５ｂへの切替信号５ｂ3によって、拡大時の表示画像サイズがモニタの表示サイズと等しくなっていない場合の例を示している。例えば、図７（Ａ）は、左側が等倍、右側が縦横２倍の表示画像サイズとされており、右側の拡大後の表示画像サイズは、モニタの表示サイズよりも小さい状態であり、モニタの表示サイズとは一致していない。ここで、拡大時の表示画像サイズをモニタの表示サイズに等しくすると、例えば、
・拡大率が整数倍ではなくなり、拡大処理が複雑化する。
・縦横２倍以上に拡大すると、符号化歪が拡大されたり、解像度の粗さが目立つ結果を招く。
などの弊害が生じるため、あえて、モニタの表示サイズよりも小さい拡大率にとどめておくことが想定される。
【００８７】
また、図７（Ｂ）に示す表示画像も、左側が等倍、右側が縦横２倍の表示画像サイズの場合を示しているが、右側の拡大後の表示画像サイズは、図７（Ａ）の場合とは逆に、モニタの表示サイズよりも大きく、モニタの表示画面からはみ出している状態にある。図７（Ｂ）においては、はみ出している部分を点線の枠で示している。当然のことながら、モニタの表示画面からはみ出した部分の表示画像は、モニタへの画面表示の際にはカットされるようにして、画像サイズ変更部５ｂから出力部６に出力される。
【００８８】
また、携帯情報端末ＰＤＡや携帯型ノートＰＣや携帯電話等の携帯機器を用いて、外出先等で視聴するような場合に、かかる携帯機器のように処理能力の低い機器にあっては、拡大率の変更を制限することにより、図１に示す復号部５において再生可能なコンテンツの画像サイズやフレームレート等の再生能力を変更可能としても良い。例えば、再生時に復号処理と拡大縮小処理との双方の処理を行なう場合には、最大３２０画素×２４０ライン、最大フレームレート１５ｆｒａｍｅ／ｓのコンテンツまでを再生可能な機器において、拡大率を等倍として、拡大縮小処理に必要とする処理能力を節約することにより、最大６４０画素×４８０ライン、最大フレームレート１５ｆｒａｍｅ／ｓのコンテンツの再生も可能とする。
【００８９】
かくのごとく、復号部５により再生可能とする動画像の最大画像サイズ及び／又は最大フレームレートを含む再生能力を設定することができる再生能力設定部（図１には図示していない）を備え、該再生能力設定部が、再生能力の設定を指示する再生能力指示信号に基づいて、動画像の再生能力を設定することを可能とする構成にすることにより、処理能力の低い機器においては、処理能力の高い他の機器向けに作成されたコンテンツであっても、拡大率の変更は制限されることとなるが、該コンテンツを再生することが可能になる。また、拡大率の変更を制限する代わりに、双方向予測フレームの復号処理を省略する、あるいは、ブロック歪みを軽減するためのデブロックフィルタ処理を省略する等の制限を設けることにより、再生可能とする再生能力の変更を行なうようにしても構わない。
【００９０】
なお、前記再生能力設定部による再生能力の設定は、図１２に示すモード選択画面にメニューを追加し、拡大率の変更設定の場合と同様に、該モード選択画面に基づいて、ユーザ操作により、再生可能とする再生能力の設定を指示する再生能力指示信号を明示的に入力することにより行なっても良い。また、符号化データと共に記録された符号化パラメータから画像サイズ、フレームレート等の再生能力に関する情報を取得し、現在の再生能力の設定内容と比較し、必要であれば、再生能力の設定を指示する再生能力指示信号を前記再生能力設定部に出力することにより自動的に再生能力を再設定する構成としても構わない。
【００９１】
更に、再生可能な再生能力を示す情報（以下、再生能力情報と記す）を、符号化データと共に、リムーバブルメディア４ａに記録し、リムーバブルメディア４ａに記録されている前記再生能力情報に従って作成した再生能力指示信号を、前記再生能力設定部に出力することによって、再生能力の設定を行なう構成であっても構わない。かかる場合においては、リムーバブルメディア４ａに記録される前記再生能力情報としては、符号化データに多重化して記録しても良いし、符号化データを格納する符号化データファイルとは別ファイルとして記録しても良い。また、符号化データファイルのファイル名、あるいは、該符号化データファイルが存在するディレクトリ名（又はフォルダ名）を示す文字列の一部に、前記再生能力情報を示す特定の文字列を含める構成としても構わない。また、前記再生能力情報の記録フォーマットを特定のユーザにのみ開示することにより、再生能力の設定可能なユーザを限定することも可能である。
【００９２】
【発明の効果】
本発明に係る動画像符号化・復号装置及び動画像符号化・復号方法によれば、以下のごとき効果を奏しめることが可能となる。
即ち、蓄積部としてビデオデッキやハードディスク装置などの大きな装置を用いる代わりに、デジタル圧縮された符号化データを蓄積する蓄積部として着脱可能なリムーバブルメディアを装着する構成としているので、例えば受信したテレビ放送を該リムーバブルメディアに録画するように構成することにより、従来の技術による録画機能一体型のテレビ受像装置に比し、圧倒的に薄型化・軽量化された録画機能一体型のテレビ受像装置を実現することが可能となると共に、録画された前記リムーバブルメディアを携帯することにより、録画された動画像を携帯情報端末ＰＤＡ、携帯用ノートＰＣ、携帯電話等の携帯機器によって、外出先等でも視聴することが可能である。
【００９３】
また、画像データの符号化パラメータと音声データの符号化パラメータとをそれぞれ独立させた複数個の符号化パラメータを備えており、それぞれからいずれかの符号化パラメータを選択して設定することができるので、例えば据え置き型の動画像符号化・復号装置（あるいは、該動画像符号化・復号装置を搭載した録画機能一体型テレビ受像装置）に備えられた高解像度のモニタ、高音質のスピーカそれぞれの性能に応じた符号化パラメータを設定することが可能になると共に、携帯用の外部動画像復号装置（例えば、携帯情報端末ＰＤＡや携帯用ノートＰＣなど）に備えられている低解像度のモニタ、低音質のスピーカやイヤホンなどの性能にも応じた符号化パラメータを設定することが可能となる。また、携帯用の外部動画像復号装置において一部の復号方式のみが使用できるような場合であっても、携帯用の該外部動画像復号装置にて適用可能な一部の復号方式に対応した符号化方式を符号化パラメータとして設定することも可能であり、かくのごとき携帯用の外部動画像復号装置であっても、再生することが可能となる。
【００９４】
また、画像データの符号化パラメータと音声データの符号化パラメータとを複数用意し、少なくとも録画を行なった例えば据え置き型の動画像符号化・復号装置自体（あるいは、該動画像符号化・復号装置を搭載した録画機能一体型テレビ受像装置）における再生に対応する符号化パラメータと例えば携帯向きの外部動画像復号装置における再生に対応する符号化パラメータとを備えることにより、ユーザ（視聴者）が、それぞれの装置において再生することが可能な符号化パラメータを録画モードとして簡単に選択して設定することが可能となる。
【００９５】
更に、画像サイズ表示部を備えることにより、符号化されて録画された画像データの画像サイズに応じて、切替信号によって指定することができる変更倍率（拡大率）を用いて、画面表示される際の動画像の表示画像サイズをユーザ（視聴者）が指定することにより適宜変更することを可能としており、ユーザ（視聴者）の好みに応じた表示画像サイズの動画像の視聴が可能となる。例えば、符号化パラメータの指定によって、１６０画素×１２８ラインの画像サイズにより符号化されたコンテンツＡと３２０画素×２４０ラインの画像サイズにより符号化されたコンテンツＢとが蓄積部に蓄積されている場合、コンテンツＡは縦横２倍の変更倍率（拡大率）で拡大してモニタ上に画面表示し、コンテンツＢは等倍のままモニタ上に画面表示することも可能であり、いずれのコンテンツであっても、モニタ上では同じ表示画像サイズで視聴することが可能となる。
【００９６】
更には、表示画像サイズの変更倍率（拡大率）を複数備えており、ユーザ（視聴者）が切替信号を入力する都度、順次、複数の変更倍率（拡大率）を予め定められた順序で巡回的に変更していくことが可能であり、ユーザ（視聴者）が簡単に表示画像サイズを選択することができる。また、現在、モニタ上に画面表示されている表示画像サイズの変更倍率（拡大率）を同時にモニタ上に画面表示することができるので、ユーザ（視聴者）が画面表示中の表示画像サイズの変更倍率（拡大率）を知ることができ、他のコンテンツを新たに視聴する際の参考にすることができる。
【００９７】
更には、前回コンテンツを画面表示した際に指定した表示画像サイズの変更倍率（拡大率）を設定済み倍率（即ちデフォルトの拡大率）として記憶しておくことも可能であり、新たなコンテンツを表示する際に、ユーザが好む変更倍率（拡大率）を毎回指定する煩わしさを軽減することが可能となる。また、前回コンテンツを画面表示した際に指定していた変更倍率（拡大率）には関係無く、新たなコンテンツを画面表示する際には、予め設定されている固定した値の変更倍率（拡大率）を初期設定倍率として用いて表示することも可能であり、コンテンツの最初の表示画像サイズを固定の変更倍率（拡大率）により画面表示し、録画した際のコンテンツの画像サイズに応じた画面表示が可能となる。
【００９８】
更に、モニタに新たに画面表示する際に適用する表示画像サイズをデフォルトのサイズ（初期設定画像サイズ）として備え、新たなコンテンツを画面表示する際は、まず、デフォルトのサイズ（初期設定画像サイズ）として備えられている表示画像サイズになるように、新たなコンテンツの表示画像サイズの変更を行なうことにより、画像サイズが異なるコンテンツを再生する場合であっても、デフォルトのサイズ（初期設定画像サイズ）として備えられている表示画像サイズに統一して画面表示することが可能となる。
【００９９】
更に、画像の拡大縮小処理やブロック歪み軽減のためのデブロックフィルタ処理の省略等、一部の機能を制限する代わりに、再生可能な動画像の最大画像サイズ及び／又は最大フレームレートを含む再生能力の変更設定を可能とすることにより、携帯機器のごとく処理能力の低い機器であっても、処理能力の高い他の機器向けに作成されたコンテンツを再生することが可能となる。
【０１００】
更に、再生可能な再生能力を示す情報である再生能力情報を、符号化データと共に多重化し記録する、又は、符号化データを格納する符号化データファイルとは別ファイルとして記録することにより、ユーザの操作を必要とせず、自動的に再生可能な再生能力を当該動画像符号化・復号装置に設定することが可能である。また、該再生能力情報を、符号化データを格納する符号化データファイルとは別ファイルとして記録する場合、あるいは、符号化データファイルのファイル名あるいは該符号化データファイルが存在するディレクトリ名（又はフォルダ名）を示す文字列の一部に含める場合においては、必要に応じて、各ユーザが、自由に、再生可能な再生能力を当該動画像符号化・復号装置に設定することも可能であるし、また、該再生能力情報の記録フォーマットを特定のユーザにのみ開示することにより、再生能力の設定可能なユーザを限定することも可能である。
【図面の簡単な説明】
【図１】本発明に係る動画像符号化・復号装置の第１の実施形態を説明するためのブロック構成図である。
【図２】図１に示す動画像符号化・復号装置によって着脱可能なリムーバブルメディアに蓄積された符号化データを再生する外部動画像復号装置の一例を示すブロック構成図である。
【図３】図１に示す動画像符号化・復号装置の符号化部の内部構成を示したブロック構成図である。
【図４】本発明に係る動画像符号化・復号装置の第２の実施形態を説明するためのブロック構成図である。
【図５】画像サイズ変更部に対する切替信号に応じて拡大・縮小される表示画像の例を示す表示画面図である。
【図６】画像サイズ変更部に対する切替信号に応じて拡大・縮小される表示画像の他の例を示す表示画面図である。
【図７】画像サイズ変更部に対する切替信号に応じて拡大・縮小される表示画像の更に異なる例を示す表示画面図である。
【図８】画像データに関する符号化パラメータを登録している符号化パラメータテーブルの一例を示すテーブルである。
【図９】音声データに関する符号化パラメータを登録している符号化パラメータテーブルの一例を示すテーブルである。
【図１０】設定すべき符号化パラメータを指定するモード選択画面の一例を示す模式図である。
【図１１】画像データと音声モードとに関する符号化パラメータを登録している符号化パラメータテーブルの一例を示すテーブルである。
【図１２】設定すべき符号化パラメータを指定するモード選択画面の他の一例を示す模式図である。
【図１３】従来の技術における録画機能一体型のテレビ受像装置の構成を示すブロック構成図である。
【図１４】従来の技術におけるビデオレコーダ技術を実現するシステムボードのブロック構成図である。
【符号の説明】
１…テレビ受信部（受信部）、２…符号化部、２ａ…画像符号化部、２ｂ…音声符号化部、２ｃ…多重化部、３…パラメータ設定部、３ａ…外部インタフェース部、４…蓄積部、４ａ…リムーバブルメディア、５，５′…復号部、５ａ…復号部本体、５ｂ…画像サイズ変更部、５ｂ1…画像データ、５ｂ2…画像サイズ、５ｂ3…切替信号、６…出力部、１０…動画像符号化・復号装置、２０…外部動画像復号装置、２４…蓄積部、２５…復号部、２６…出力部、３１…画像データ用符号化パラメータテーブル、３１ａ…モード情報、３１ｂ…符号化方式、３１ｃ…画像サイズ、３１ｄ…フレームレート、３１ｅ…ビットレート、３２…音声データ用符号化パラメータテーブル、３２ａ…モード情報、３２ｂ…符号化方式、３２ｃ…チャンネル数、３２ｄ…サンプリングレート、３２ｅ…ビットレート、３３…符号化パラメータテーブル、３３ａ…モード情報、３３ｂ1…符号化方式、３３ｃ1…画像サイズ、３３ｄ1…フレームレート、３３ｅ1…ビットレート、３３ｂ2…符号化方式、３３ｃ2…チャンネル数、３３ｄ2…サンプリングレート、３３ｅ2…ビットレート、４０…テレビ受像装置、４１…テレビ受信部、４２…録画・再生部、４３…出力部、４５…システムボード、４５ａ…ＡＣＴチップ、４５ｂ…メモリ。
【図１】
2004165706.tif 000003
【図２】
2004165706.tif 000004
【図３】
2004165706.tif 000005
【図４】
2004165706.tif 000006
【図５】
2004165706.tif 000007
【図６】
2004165706.tif 000008
【図７】
2004165706.tif 000009
【図８】
2004165706.tif 000010
【図９】
2004165706.tif 000011
【図１０】
2004165706.tif 000012
【図１１】
2004165706.tif 000013
【図１２】
2004165706.tif 000014
【図１３】
2004165706.tif 000015
【図１４】
2004165706.tif 000016